(57)【要約】【課題】  結婚式等のイベントについてのアルバムを作成するに際し、アルバムのテンプレートの画像挿入領域に挿入する画像を簡易に選択できるようにする。【解決手段】  結婚式当日の新郎新婦にプロカメラマンが同行して撮影を行う。現像済みフイルムから画像を読み取りファイルサーバに保管する。画像データを一覧表示する一覧表示フィールド３１、テンプレートを表示するテンプレート表示フィールド３３を含む編集画面３０を表示する。オペレータがテンプレートのページを指定すると、そのページのすべての画像挿入領域について、挿入すべき画像の状態を指定する各種条件からなる状態指定情報を参照して、画像の一覧から状態指定情報の共通の条件に適合するテンプレート適合画像を選別する。【選択図】          図４
2005285107.tif 000002
【特許請求の範囲】
【請求項１】
各種表示を行う表示手段と、
複数の画像、および画像を挿入する少なくとも１つの画像挿入領域を含む複数のページからなり、前記画像挿入領域に挿入すべき画像の状態を指定する各種条件からなる状態指定情報が付与されてなる、アルバムの台紙となるテンプレートの入力を受け付ける入力受け付け手段と、
前記テンプレートに含まれるすべての前記画像挿入領域についての状態指定情報に共通の条件があるか否かを判定し、該判定が肯定された場合、前記共通の条件を参照して、前記複数の画像から該共通の条件に適合するテンプレート適合画像を選別する画像選別手段と、
前記テンプレートおよび前記複数の画像の一覧を前記表示手段に表示する表示制御手段と、
前記複数の画像の一覧において前記テンプレート適合画像を選別表示する適合画像選別表示手段と、
前記テンプレート適合画像からの前記各画像挿入領域に挿入する挿入画像の選択を受け付ける画像選択手段とを備えたことを特徴とする画像編集装置。
【請求項２】
前記テンプレートにおける所望とするページの指定を受け付けるページ指定受け付け手段をさらに備え、
前記画像選別手段は、前記指定されたページに含まれるすべての前記画像挿入領域についての状態指定情報に共通の条件があるか否かを判定し、該判定が肯定された場合、該共通の条件を参照して、前記複数の画像から該共通の条件に適合するページ適合画像を選別する手段であり、
前記表示制御手段は、前記指定されたページを前記表示手段に表示する手段であり、
前記適合画像選別表示手段は、前記ページ適合画像を選別表示する手段であり、
前記画像選択手段は、前記ページ適合画像からの前記各画像挿入領域に挿入する挿入画像の選択を受け付ける手段であることを特徴とする請求項１記載の画像編集装置。
【請求項３】
所望とする画像挿入領域の指定を受け付ける領域指定受け付け手段をさらに備え、
前記画像選別手段は、前記指定された画像挿入領域についての状態指定情報を参照して、前記複数の画像から該状態指定情報に適合する領域適合画像を選別する手段であり、
前記適合画像選別表示手段は、前記領域適合画像を選別表示する手段であり、
前記画像選択手段は、前記領域適合画像からの前記指定された画像挿入領域に挿入する挿入画像の選択を受け付ける手段であることを特徴とする請求項１または２記載の画像編集装置。
【請求項４】
各種表示を行う表示手段と、
複数の画像、および画像を挿入する少なくとも１つの画像挿入領域を含む複数のページからなる、アルバムの台紙となるテンプレートであって、すべての前記画像挿入領域について共通の、挿入すべき画像の状態を指定する各種条件からなるテンプレート状態指定情報が付与され、前記複数のページのそれぞれに含まれるすべての前記画像挿入領域についての共通の各種条件からなるページ状態指定情報が前記各ページに付与され、前記画像挿入領域のそれぞれに各種条件からなる領域状態指定情報が付与されてなるテンプレートの入力を受け付ける入力受け付け手段と、
前記テンプレートの指定、該指定されたテンプレートにおける所望とするページの指定、および所望とする画像挿入領域の指定を受け付ける指定受け付け手段と、
前記テンプレートが指定された場合、前記指定されたテンプレートに付与されたテンプレート状態指定情報を参照して、前記複数の画像から該テンプレート状態指定情報に適合するテンプレート適合画像を選別し、前記所望とするページが指定された場合、該指定されたページに付与されたページ状態指定情報を参照して、前記複数の画像から該ページ状態指定情報に適合するページ適合画像を選別し、前記所望とする画像挿入領域が指定された場合、該指定された画像挿入領域に付与された領域状態指定情報を参照して、前記複数の画像の一覧から該領域状態指定情報に適合する領域適合画像を選別する画像選別手段と、
前記指定されたテンプレートおよび前記指定されたページを前記複数の画像の一覧とともに前記表示手段に表示する表示制御手段と、
前記複数の画像の一覧において、前記テンプレート適合画像、前記ページ適合画像および前記領域適合画像を選別表示する適合画像選別表示手段と、
前記テンプレート適合画像および前記ページ適合画像からの前記各画像挿入領域に挿入する挿入画像の選択、並びに前記領域適合画像からの前記指定された画像挿入領域に挿入する挿入画像の選択を受け付ける画像選択手段とを備えたことを特徴とする画像編集装置。
【請求項５】
各種表示を行う表示手段と、
複数の画像、および画像を挿入する少なくとも１つの画像挿入領域を含む複数のページからなり、前記画像挿入領域のそれぞれに、挿入すべき画像の状態を指定する各種条件からなる状態指定情報が付与されてなる、アルバムの台紙となるテンプレートの入力を受け付ける入力受け付け手段と、
前記テンプレートに含まれるすべての前記画像挿入領域についての状態指定情報を参照して、すべての前記複数の画像を前記状態指定情報の各種条件と対応付ける対応付け手段と、
該対応付けの結果を保存する結果保存手段と、
前記テンプレートに含まれる所望とするページの指定を受け付ける指定受け付け手段と、
該指定されたページにおけるすべての前記画像挿入領域についての状態指定情報に共通の条件があるか否かを判定し、該判定が肯定された場合、該共通の条件および前記対応付けの結果を参照して、前記複数の画像から該共通の条件に適合するページ適合画像を選別する画像選別手段と、
前記指定されたページおよび前記複数の画像の一覧を前記表示手段に表示する表示制御手段と、
前記複数の画像の一覧において前記ページ適合画像を選別表示する適合画像選別表示手段と、
前記ページ適合画像からの前記各画像挿入領域に挿入する挿入画像の選択を受け付ける画像選択手段とを備えたことを特徴とする画像編集装置。
【請求項６】
前記指定受け付け手段は、所望とする画像挿入領域の指定を受け付ける手段であり、
前記画像選別手段は、前記指定された画像挿入領域についての状態指定情報および前記対応付けの結果を参照して、前記複数の画像から該状態指定情報に適合する領域適合画像を選別する手段であり、
前記適合画像選別表示手段は、前記領域適合画像を選別表示する手段であり、
前記画像選択手段は、前記領域適合画像からの前記指定された画像挿入領域に挿入する挿入画像の選択を受け付ける手段であることを特徴とする請求項５記載の画像編集装置。
【請求項７】
複数の画像、および画像を挿入する少なくとも１つの画像挿入領域を含む複数のページからなり、前記画像挿入領域に挿入すべき画像の状態を指定する各種条件からなる状態指定情報が付与されてなる、アルバムの台紙となるテンプレートの入力を受け付け、
前記テンプレートに含まれるすべての前記画像挿入領域についての状態指定情報に共通の条件があるか否かを判定し、該判定が肯定された場合、前記共通の条件を参照して、前記複数の画像から該共通の条件に適合するテンプレート適合画像を選別し、
前記テンプレートおよび前記複数の画像の一覧を表示し、
前記複数の画像の一覧において前記テンプレート適合画像を選別表示し、
前記テンプレート適合画像からの前記各画像挿入領域に挿入する挿入画像の選択を受け付けることを特徴とする画像編集方法。
【請求項８】
複数の画像、および画像を挿入する少なくとも１つの画像挿入領域を含む複数のページからなる、アルバムの台紙となるテンプレートであって、すべての前記画像挿入領域について共通の、挿入すべき画像の状態を指定する各種条件からなるテンプレート状態指定情報が付与され、前記複数のページのそれぞれに含まれるすべての前記画像挿入領域についての共通の各種条件からなるページ状態指定情報が前記各ページに付与され、前記画像挿入領域のそれぞれに各種条件からなる領域状態指定情報が付与されてなるテンプレートの入力を受け付け、
前記テンプレートの指定、該指定されたテンプレートにおける所望とするページの指定、および所望とする画像挿入領域の指定を受け付け、
前記テンプレートが指定された場合、前記指定されたテンプレートに付与されたテンプレート状態指定情報を参照して、前記複数の画像から該テンプレート状態指定情報に適合するテンプレート適合画像を選別し、前記所望とするページが指定された場合、該指定されたページに付与されたページ状態指定情報を参照して、前記複数の画像から該ページ状態指定情報に適合するページ適合画像を選別し、前記所望とする画像挿入領域が指定された場合、該指定された画像挿入領域に付与された領域状態指定情報を参照して、前記複数の画像の一覧から該領域状態指定情報に適合する領域適合画像を選別し、
前記指定されたテンプレートおよび前記指定されたページを前記複数の画像の一覧とともに前記表示手段に表示し、
前記複数の画像の一覧において、前記テンプレート適合画像、前記ページ適合画像および前記領域適合画像を選別表示し、
前記テンプレート適合画像および前記ページ適合画像からの前記各画像挿入領域に挿入する挿入画像の選択、並びに前記領域適合画像からの前記指定された画像挿入領域に挿入する挿入画像の選択を受け付けることを特徴とする画像編集方法。
【請求項９】
複数の画像、および画像を挿入する少なくとも１つの画像挿入領域を含む複数のページからなり、前記画像挿入領域のそれぞれに、挿入すべき画像の状態を指定する各種条件からなる状態指定情報が付与されてなる、アルバムの台紙となるテンプレートの入力を受け付け、
前記テンプレートに含まれるすべての前記画像挿入領域についての状態指定情報を参照して、すべての前記複数の画像を前記状態指定情報の各種条件と対応付け、
該対応付けの結果を保存し、
前記テンプレートにおける所望とするページの指定を受け付け、
該指定されたページに含まれるすべての前記画像挿入領域についての状態指定情報に共通の条件があるか否かを判定し、該判定が肯定された場合、該共通の条件および前記対応付けの結果を参照して、前記複数の画像から該共通の条件に適合するページ適合画像を選別し、
前記指定されたページおよび前記複数の画像の一覧を前記表示手段に表示し、
前記複数の画像の一覧において前記ページ適合画像を選別表示し、
前記ページ適合画像からの前記各画像挿入領域に挿入する挿入画像の選択を受け付けることを特徴とする画像編集方法。
【請求項１０】
複数の画像、および画像を挿入する少なくとも１つの画像挿入領域を含む複数のページからなり、前記画像挿入領域に挿入すべき画像の状態を指定する各種条件からなる状態指定情報が付与されてなる、アルバムの台紙となるテンプレートの入力を受け付ける手順と、
前記テンプレートに含まれるすべての前記画像挿入領域についての状態指定情報に共通の条件があるか否かを判定し、該判定が肯定された場合、前記共通の条件を参照して、前記複数の画像から該共通の条件に適合するテンプレート適合画像を選別する手順と、
前記テンプレートおよび前記複数の画像の一覧を表示する手順と、
前記複数の画像の一覧において前記テンプレート適合画像を選別表示する手順と、
前記テンプレート適合画像からの前記各画像挿入領域に挿入する挿入画像の選択を受け付ける手順とを有することを特徴とする画像編集方法をコンピュータに実行させるためのプログラム。
【請求項１１】
複数の画像、および画像を挿入する少なくとも１つの画像挿入領域を含む複数のページからなる、アルバムの台紙となるテンプレートであって、すべての前記画像挿入領域について共通の、挿入すべき画像の状態を指定する各種条件からなるテンプレート状態指定情報が付与され、前記複数のページのそれぞれに含まれるすべての前記画像挿入領域についての共通の各種条件からなるページ状態指定情報が前記各ページに付与され、前記画像挿入領域のそれぞれに各種条件からなる領域状態指定情報が付与されてなるテンプレートの入力を受け付ける手順と、
前記テンプレートの指定、該指定されたテンプレートにおける所望とするページの指定、および所望とする画像挿入領域の指定を受け付ける手順と、
前記テンプレートが指定された場合、前記指定されたテンプレートに付与されたテンプレート状態指定情報を参照して、前記複数の画像から該テンプレート状態指定情報に適合するテンプレート適合画像を選別し、前記所望とするページが指定された場合、該指定されたページに付与されたページ状態指定情報を参照して、前記複数の画像から該ページ状態指定情報に適合するページ適合画像を選別し、前記所望とする画像挿入領域が指定された場合、該指定された画像挿入領域に付与された領域状態指定情報を参照して、前記複数の画像の一覧から該領域状態指定情報に適合する領域適合画像を選別する手順と、
前記指定されたテンプレートおよび前記指定されたページを前記複数の画像の一覧とともに前記表示手段に表示する手順と、
前記複数の画像の一覧において、前記テンプレート適合画像、前記ページ適合画像および前記領域適合画像を選別表示する手順と、
前記テンプレート適合画像および前記ページ適合画像からの前記各画像挿入領域に挿入する挿入画像の選択、並びに前記領域適合画像からの前記指定された画像挿入領域に挿入する挿入画像の選択を受け付ける手順とを有することを特徴とする画像編集方法をコンピュータに実行させるためのプログラム。
【請求項１２】
複数の画像、および画像を挿入する少なくとも１つの画像挿入領域を含む複数のページからなり、前記画像挿入領域のそれぞれに、挿入すべき画像の状態を指定する各種条件からなる状態指定情報が付与されてなる、アルバムの台紙となるテンプレートの入力を受け付ける手順と、
前記テンプレートに含まれるすべての前記画像挿入領域についての状態指定情報を参照して、すべての前記複数の画像を前記状態指定情報の各種条件と対応付ける手順と、
該対応付けの結果を保存する手順と、
前記テンプレートに含まれる所望とするページの指定を受け付ける手順と、
該指定されたページにおけるすべての前記画像挿入領域についての状態指定情報に共通の条件があるか否かを判定し、該判定が肯定された場合、該共通の条件および前記対応付けの結果を参照して、前記複数の画像から該共通の条件に適合するページ適合画像を選別する手順と、
前記指定されたページおよび前記複数の画像の一覧を前記表示手段に表示する手順と、
前記複数の画像の一覧において前記ページ適合画像を選別表示する手順と、
前記ページ適合画像からの前記各画像挿入領域に挿入する挿入画像の選択を受け付ける手順とを有することを特徴とする画像編集方法をコンピュータに実行させるためのプログラム。
【発明の詳細な説明】
【技術分野】
【０００１】
本発明は、テンプレートの画像挿入領域に挿入する画像を選択するための画像編集装置および方法並びに画像編集方法をコンピュータに実行させるためのプログラムに関するものである。
【背景技術】
【０００２】
例えば、特許文献１に記載されているように、撮影済み写真フイルムからフイルムスキャナを用いて画像を読み取り、選択された画像を任意にレイアウトして、１枚の写真プリントとしてプリント出力することにより写真アルバムを作成する方法が提案されている。
【０００３】
また、所望の画像のみを写真プリントとしてプリント出力し、アルバムを構成するための台紙に、写真プリントのプリントサイズとアルバムのレイアウトにあわせて切り欠き凹部を形成し、形成された切り欠き凹部に写真プリントを挿入することにより、アルバムを作成する方法も提案されている（特許文献２参照）。
【０００４】
一方、結婚式のアルバムを作成するために、結婚式当日の新郎新婦にプロカメラマンを同行させ、結婚式を行う教会の前や、記念となるようなモニュメントの前で撮影を行ったり、結婚式や披露宴の最中の撮影を行うことにより、多数の画像の撮影を行って結婚式当日のアルバムを作成することが行われている。このようなアルバムは結婚式当日の新郎新婦の行動を追跡したものとなるため、ストーリー性のあるアルバムとなり、後でアルバムを見て楽しむことができる。
【０００５】
ところで、上述したようにアルバムを作成する作業は、プロカメラマンやアルバム作成サービスを提供する写真店のオペレータ（以下オペレータで代表させる）が、撮影により取得した複数の画像を画像サーバに保管し、アルバム作成のためのワークステーションにおいて、画像サーバに保管された複数の画像の一覧と、アルバムを作成するための画像挿入領域を有するテンプレートとをモニタ等の表示手段に同時に表示し、画像挿入領域に挿入する画像を画像の一覧から選択することにより行っている。この際、オペレータは、選択した画像を画像挿入領域に見栄えよく挿入できるように、画像をぼかしたりシャープネスを強調したりする画質を変更する処理、画像の回転、サイズ変更およびトリミング等の画像を加工する処理、並びに赤目補正や傷消し等の画像を修復する処理等の画像の編集処理を行う。
【０００６】
そして、編集された画像をプリント出力して台紙に貼り付けることによりアルバムが作成される。また、特許文献１に記載されているように、編集された画像がテンプレートの画像挿入領域に挿入されるように、編集された画像とテンプレートとを合成して、すでに台紙に貼り付けられた状態のアルバムをプリント出力することにより、アルバムを作成することもできる。
【特許文献１】特開平９−２１４８６８号公報
【特許文献２】特開２００３−１８２２６０号公報
【発明の開示】
【発明が解決しようとする課題】
【０００７】
ところで、上述したようにアルバムを作成する場合、結婚式等の１つのイベントについて数百枚もの撮影を行うことにより画像が取得されるが、画像の一覧に含まれる数百枚もの画像からテンプレートの画像挿入領域に挿入する画像を選択する作業は、オペレータにとって非常に負担が大きい。とくに、撮影時には、人物が目を閉じていたり、横を向いている人が写っている等、撮影に失敗した不要な画像が存在することを考慮して、同一シーンについて複数枚の画像が得られるように撮影を行うが、このような不要な画像を画像の一覧に含めてアルバムに含める画像の選択肢に入れることは、オペレータの作業の負担を無用に増加させるだけである。
【０００８】
本発明は上記事情に鑑みなされたものであり、とくに上述した結婚式等のイベントについてのアルバムを作成するに際し、テンプレートの画像挿入領域に挿入する画像を簡易に選択できるようにすることを目的とする。
【課題を解決するための手段】
【０００９】
本発明による第１の画像編集装置は、各種表示を行う表示手段と、
複数の画像、および画像を挿入する少なくとも１つの画像挿入領域を含む複数のページからなり、前記画像挿入領域に挿入すべき画像の状態を指定する各種条件からなる状態指定情報が付与されてなる、アルバムの台紙となるテンプレートの入力を受け付ける入力受け付け手段と、
前記テンプレートに含まれるすべての前記画像挿入領域についての状態指定情報に共通の条件があるか否かを判定し、該判定が肯定された場合、前記共通の条件を参照して、前記複数の画像から該共通の条件に適合するテンプレート適合画像を選別する画像選別手段と、
前記テンプレートおよび前記複数の画像の一覧を前記表示手段に表示する表示制御手段と、
前記複数の画像の一覧において前記テンプレート適合画像を選別表示する適合画像選別表示手段と、
前記テンプレート適合画像からの前記各画像挿入領域に挿入する挿入画像の選択を受け付ける画像選択手段とを備えたことを特徴とするものである。
【００１０】
「状態指定情報」は、画像挿入領域に挿入するのに適した画像に含まれる被写体の状態や画像の画質を定める各種条件からなるものである。具体的には、被写体に人物が含まれる場合においては、目を閉じていない、赤目でない、横を向いている人物がいない、規定の人数が含まれていない等の不要な画像を除外する条件を挙げることができる。また、教会や海等の特定の被写体が含まれている、人物が２人含まれている、人物が赤い花を持っている、肌色の粒状度あるいは被写体の色情報（輝度、明度、彩度等）が基準を満たす等の必要な画像を含める条件を挙げることができる。また、画像の例えば中央部のみが所定の条件を満たす画像を選別できるように、画像のある一部分に対しての状態を指定するための条件も含めることができる。
【００１１】
なお、本発明による第１の画像編集装置においては、前記テンプレートにおける所望とするページの指定を受け付けるページ指定受け付け手段をさらに備えるものとし、
前記画像選別手段を、前記指定されたページに含まれるすべての前記画像挿入領域についての状態指定情報に共通の条件があるか否かを判定し、該判定が肯定された場合、該共通の条件を参照して、前記複数の画像から該共通の条件に適合するページ適合画像を選別する手段とし、
前記表示制御手段を、前記指定されたページを前記表示手段に表示する手段とし、
前記適合画像選別表示手段を、前記ページ適合画像を選別表示する手段とし、
前記画像選択手段を、前記ページ適合画像からの前記各画像挿入領域に挿入する挿入画像の選択を受け付ける手段としてもよい。
【００１２】
また、本発明による第１の画像編集装置においては、所望とする画像挿入領域の指定を受け付ける領域指定受け付け手段をさらに備えるものとし、
前記画像選別手段を、前記指定された画像挿入領域についての状態指定情報を参照して、前記複数の画像から該状態指定情報に適合する領域適合画像を選別する手段とし、
前記適合画像選別表示手段を、前記領域適合画像を選別表示する手段とし、
前記画像選択手段を、前記領域適合画像からの前記指定された画像挿入領域に挿入する挿入画像の選択を受け付ける手段としてもよい。
【００１３】
本発明による第２の画像編集装置は、各種表示を行う表示手段と、
複数の画像、および画像を挿入する少なくとも１つの画像挿入領域を含む複数のページからなる、アルバムの台紙となるテンプレートであって、すべての前記画像挿入領域について共通の、挿入すべき画像の状態を指定する各種条件からなるテンプレート状態指定情報が付与され、前記複数のページのそれぞれに含まれるすべての前記画像挿入領域についての共通の各種条件からなるページ状態指定情報が前記各ページに付与され、前記画像挿入領域のそれぞれに各種条件からなる領域状態指定情報が付与されてなるテンプレートの入力を受け付ける入力受け付け手段と、
前記テンプレートの指定、該指定されたテンプレートにおける所望とするページの指定、および所望とする画像挿入領域の指定を受け付ける指定受け付け手段と、
前記テンプレートが指定された場合、前記指定されたテンプレートに付与されたテンプレート状態指定情報を参照して、前記複数の画像から該テンプレート状態指定情報に適合するテンプレート適合画像を選別し、前記所望とするページが指定された場合、該指定されたページに付与されたページ状態指定情報を参照して、前記複数の画像から該ページ状態指定情報に適合するページ適合画像を選別し、前記所望とする画像挿入領域が指定された場合、該指定された画像挿入領域に付与された領域状態指定情報を参照して、前記複数の画像の一覧から該領域状態指定情報に適合する領域適合画像を選別する画像選別手段と、
前記指定されたテンプレートおよび前記指定されたページを前記複数の画像の一覧とともに前記表示手段に表示する表示制御手段と、
前記複数の画像の一覧において、前記テンプレート適合画像、前記ページ適合画像および前記領域適合画像を選別表示する適合画像選別表示手段と、
前記テンプレート適合画像および前記ページ適合画像からの前記各画像挿入領域に挿入する挿入画像の選択、並びに前記領域適合画像からの前記指定された画像挿入領域に挿入する挿入画像の選択を受け付ける画像選択手段とを備えたことを特徴とするものである。
【００１４】
本発明による第３の画像編集装置は、各種表示を行う表示手段と、
複数の画像、および画像を挿入する少なくとも１つの画像挿入領域を含む複数のページからなり、前記画像挿入領域のそれぞれに、挿入すべき画像の状態を指定する各種条件からなる状態指定情報が付与されてなる、アルバムの台紙となるテンプレートの入力を受け付ける入力受け付け手段と、
前記テンプレートに含まれるすべての前記画像挿入領域についての状態指定情報を参照して、すべての前記複数の画像を前記状態指定情報の各種条件と対応付ける対応付け手段と、
該対応付けの結果を保存する結果保存手段と、
前記テンプレートにおける所望とするページの指定を受け付ける指定受け付け手段と、
該指定されたページに含まれるすべての前記画像挿入領域についての状態指定情報に共通の条件があるか否かを判定し、該判定が肯定された場合、該共通の条件および前記対応付けの結果を参照して、前記複数の画像から該共通の条件に適合するページ適合画像を選別する画像選別手段と、
前記指定されたページおよび前記複数の画像の一覧を前記表示手段に表示する表示制御手段と、
前記複数の画像の一覧において前記ページ適合画像を選別表示する適合画像選別表示手段と、
前記ページ適合画像からの前記各画像挿入領域に挿入する挿入画像の選択を受け付ける画像選択手段とを備えたことを特徴とするものである。
【００１５】
なお、本発明による第３の画像編集装置においては、前記指定受け付け手段を、所望とする画像挿入領域の指定を受け付ける手段とし、
前記画像選別手段を、前記指定された画像挿入領域についての状態指定情報および前記対応付けの結果を参照して、前記複数の画像から該状態指定情報に適合する領域適合画像を選別する手段とし、
前記適合画像選別表示手段を、前記領域適合画像を選別表示する手段とし、
前記画像選択手段を、前記領域適合画像からの前記指定された画像挿入領域に挿入する挿入画像の選択を受け付ける手段としてもよい。
【００１６】
本発明による第１の画像編集方法は、複数の画像、および画像を挿入する少なくとも１つの画像挿入領域を含む複数のページからなり、前記画像挿入領域に挿入すべき画像の状態を指定する各種条件からなる状態指定情報が付与されてなる、アルバムの台紙となるテンプレートの入力を受け付け、
前記テンプレートに含まれるすべての前記画像挿入領域についての状態指定情報に共通の条件があるか否かを判定し、該判定が肯定された場合、前記共通の条件を参照して、前記複数の画像から該共通の条件に適合するテンプレート適合画像を選別し、
前記テンプレートおよび前記複数の画像の一覧を表示し、
前記複数の画像の一覧において前記テンプレート適合画像を選別表示し、
前記テンプレート適合画像からの前記各画像挿入領域に挿入する挿入画像の選択を受け付けることを特徴とするものである。
【００１７】
本発明による第２の画像編集方法は、複数の画像、および画像を挿入する少なくとも１つの画像挿入領域を含む複数のページからなる、アルバムの台紙となるテンプレートであって、すべての前記画像挿入領域について共通の、挿入すべき画像の状態を指定する各種条件からなるテンプレート状態指定情報が付与され、前記複数のページのそれぞれに含まれるすべての前記画像挿入領域についての共通の各種条件からなるページ状態指定情報が前記各ページに付与され、前記画像挿入領域のそれぞれに各種条件からなる領域状態指定情報が付与されてなるテンプレートの入力を受け付け、
前記テンプレートの指定、該指定されたテンプレートにおける所望とするページの指定、および所望とする画像挿入領域の指定を受け付け、
前記テンプレートが指定された場合、前記指定されたテンプレートに付与されたテンプレート状態指定情報を参照して、前記複数の画像から該テンプレート状態指定情報に適合するテンプレート適合画像を選別し、前記所望とするページが指定された場合、該指定されたページに付与されたページ状態指定情報を参照して、前記複数の画像から該ページ状態指定情報に適合するページ適合画像を選別し、前記所望とする画像挿入領域が指定された場合、該指定された画像挿入領域に付与された領域状態指定情報を参照して、前記複数の画像の一覧から該領域状態指定情報に適合する領域適合画像を選別し、
前記指定されたテンプレートおよび前記指定されたページを前記複数の画像の一覧とともに前記表示手段に表示し、
前記複数の画像の一覧において、前記テンプレート適合画像、前記ページ適合画像および前記領域適合画像を選別表示し、
前記テンプレート適合画像および前記ページ適合画像からの前記各画像挿入領域に挿入する挿入画像の選択、並びに前記領域適合画像からの前記指定された画像挿入領域に挿入する挿入画像の選択を受け付けることを特徴とするものである。
【００１８】
本発明による第３の画像編集方法は、複数の画像、および画像を挿入する少なくとも１つの画像挿入領域を含む複数のページからなり、前記画像挿入領域のそれぞれに、挿入すべき画像の状態を指定する各種条件からなる状態指定情報が付与されてなる、アルバムの台紙となるテンプレートの入力を受け付け、
前記テンプレートに含まれるすべての前記画像挿入領域についての状態指定情報を参照して、すべての前記複数の画像を前記状態指定情報の各種条件と対応付け、
該対応付けの結果を保存し、
前記テンプレートにおける所望とするページの指定を受け付け、
該指定されたページに含まれるすべての前記画像挿入領域についての状態指定情報に共通の条件があるか否かを判定し、該判定が肯定された場合、該共通の条件および前記対応付けの結果を参照して、前記複数の画像から該共通の条件に適合するページ適合画像を選別し、
前記指定されたページおよび前記複数の画像の一覧を前記表示手段に表示し、
前記複数の画像の一覧において前記ページ適合画像を選別表示し、
前記ページ適合画像からの前記各画像挿入領域に挿入する挿入画像の選択を受け付けることを特徴とするものである。
【００１９】
なお、本発明による第１から第３の画像編集方法をコンピュータに実行させるためのプログラムとして提供してもよい。
【発明の効果】
【００２０】
本発明の第１の画像編集装置および方法によれば、テンプレートの入力が受け付けられ、テンプレートに含まれるすべての画像挿入領域についての状態指定情報に共通の条件があるか否かが判定され、この判定が肯定されると、共通の条件が参照されて、複数の画像から共通の条件に適合するテンプレート適合画像が選別され、複数の画像の一覧においてテンプレート適合画像が選別表示される。このため、編集作業を行うオペレータは、選別表示されたテンプレート適合画像を参照すれば、指定したテンプレートの画像挿入領域に挿入すべき画像を容易に選択することができる。
【００２１】
また、テンプレートにおける所望とするページの指定を受け付け、指定されたページに含まれるすべての画像挿入領域についての状態指定情報に共通の条件があるか否かを判定し、この判定が肯定されると、共通の条件を参照して、複数の画像から共通の条件に適合するページ適合画像を選別し、これを選別表示することにより、編集作業を行うオペレータは、選別表示されたページ適合画像を参照すれば、指定したページの画像挿入領域に挿入すべき画像を容易に選択することができる。
【００２２】
また、所望とする画像挿入領域の指定を受け付け、指定された画像挿入領域についての状態指定情報を参照して、複数の画像から状態指定情報に適合する領域適合画像を選別し、これを選別表示することにより、編集作業を行うオペレータは、選別された領域適合画像を参照すれば、指定した画像挿入領域に挿入すべき画像を容易に選択することができる。
【００２３】
したがって、本発明の第１の画像編集装置および方法によれば、テンプレートの画像挿入領域に挿入する画像を選択する際のオペレータの負担を軽減することができる。
【００２４】
本発明の第２の画像編集装置および方法によれば、テンプレートの指定が受け付けられると、指定されたテンプレートに付与されたテンプレート状態指定情報が参照されて、複数の画像からテンプレート状態指定情報に適合するテンプレート適合画像が選別される。また、所望とするページの指定が受け付けられると、指定されたページに付与されたページ状態指定情報が参照されて、複数の画像からページ状態指定情報に適合するページ適合画像が選別される。さらに、所望とする画像挿入領域の指定が受け付けられると、指定された画像挿入領域に付与された状態指定情報が参照されて、複数の画像から状態指定情報に適合する領域適合画像が選別される。そして、テンプレート適合画像、ページ適合画像および領域適合画像が複数の画像の一覧において選別表示される。このため、編集作業を行うオペレータは、選別表示されたテンプレート適合画像、ページ適合画像および領域適合画像を参照すれば、テンプレートの画像挿入領域および指定した画像挿入領域に挿入すべき画像を容易に選択することができる。したがって、テンプレートの画像挿入領域に挿入する画像を選択する際のオペレータの負担を軽減することができる。
【００２５】
本発明の第３の画像編集装置および方法によれば、テンプレートの入力が受け付けられ、テンプレートに含まれるすべての画像挿入領域についての状態指定情報が参照されて、すべての画像が状態指定情報の各種条件と対応付けられ、その対応付けの結果が保存される。そして、テンプレートにおける所望とするページの指定が受け付けられると、指定されたページに含まれるすべての画像挿入領域についての状態指定情報に共通の条件があるか否かが判定され、この判定が肯定されると、共通の条件および対応付けの結果が参照されて、複数の画像から共通の条件に適合するページ適合画像が選別され、複数の画像の一覧においてページ適合画像が選別表示される。このため、編集作業を行うオペレータは、選別表示されたページ適合画像を参照すれば、指定したページの画像挿入領域に挿入すべき画像を容易に選択することができる。
【００２６】
また、所望とする画像挿入領域の指定を受け付け、指定された画像挿入領域についての状態指定情報および対応付けの結果を参照して、複数の画像から状態指定情報に適合する領域適合画像を選別し、これを選別表示することにより、編集作業を行うオペレータは、選別された領域適合画像を参照すれば、指定した画像挿入領域に挿入すべき画像を容易に選択することができる。
【００２７】
したがって、本発明の第３の画像編集装置および方法によれば、テンプレートの画像挿入領域に挿入する画像を選択する際のオペレータの負担を軽減することができる。また、先にすべての画像について状態指定情報の各種条件との対応付けを行っているため、対応付けの結果を参照することにより、ページ適合画像および領域適合画像の選別を高速に行うことができる。
【発明を実施するための最良の形態】
【００２８】
以下、図面を参照して本発明の実施形態について説明する。図１は本発明の第１の実施形態による画像編集装置を備えた画像編集システムの構成を示す概略ブロック図である。図１に示すように、第１の実施形態による画像編集システムは、第１の実施形態による画像編集装置の機能を有するアルバム編集ＰＣ（パソコン）１、現像済みのネガあるいはポジのフイルムやプリントから画像を読み取ってフイルムに記録された画像を表す画像データを取得するスキャナと、画像データをプリント出力するプリンタとを備えた複数（ここでは２つ）のミニラボ機３Ａ，３Ｂ、スキャナ３Ｃ、画像データを蓄積する大容量のハードディスクを備えたファイルサーバ５、およびアルバム作成作業の工程管理を行う工程管理ＰＣ７を備え、これらがネットワークにより接続されてなるものである。
【００２９】
なお、本実施形態においては、結婚式をイベントとして、結婚式についてのストーリー性のあるアルバムの作成を依頼したユーザである新郎新婦にプロカメラマンが同行して、結婚式当日のユーザの撮影を行い、これにより得られた画像を用いてアルバムを作成する場合について説明するが、イベントは結婚式に限定されるものではない。
【００３０】
図２はアルバム編集ＰＣ１の構成を示す概略ブロック図である。図２に示すように、アルバム編集ＰＣは、アルバム編集ＰＣ１の全体の制御を行うＣＰＵ１１（画像選別手段、表示制御手段、適合画像選別表示手段、対応付け手段）、ファイルサーバ５と画像データを含む各種情報の送受信を行うためのネットワーク用の送受信手段１３（入力受け付け手段）、画像やテンプレート等の各種情報を表示するための表示手段１５、アルバム編集ＰＣ１を操作するオペレータが入力手段１７（ページ指定受け付け手段、領域指定受け付け手段、画像選択手段）を用いて入力した各種情報を読み取ってＣＰＵ１１に伝達したり、ＣＰＵ１１からの指示に基づいて表示手段１５に表示指令を出力するＩ／Ｏ１９、ＣＰＵ１１を動作させるプログラムや各種定数が記録されているＲＯＭやＣＰＵ１１が処理を実行する際の作業領域となる記録手段であるＲＡＭとから構成されるメモリ２１（結果保存手段）、画像データ等各種情報を記録するハードディスク等の記録手段２３が設けられている。
【００３１】
アルバム編集ＰＣ１内のＣＰＵ１１と、送受信手段１３、Ｉ／Ｏ１９、メモリ２１、および記録手段２３等を含む各周辺回路とはバス２５により接続されており、ＣＰＵ１１は各々の周辺回路を制御することが可能となっている。すなわち、ＣＰＵ１１が、送受信手段１３、表示手段１５、メモリ２１および記録手段２３を制御することにより、ファイルサーバ５から画像データや後述するテンプレートデータ等の情報を受信して、受信した画像データを記録手段２３に記録するとともに、画像データの一覧およびテンプレートを表示手段１５に表示して、オペレータによる入力手段１７からの指示により、テンプレートの画像挿入領域に挿入する画像の選択、画像の編集情報の生成、画像編集情報のファイルサーバ５への送信を行うことが可能となっている。
【００３２】
ここで、アルバム編集ＰＣ１は、オペレータがアルバムの編集作業を行う際に、アルバムの作成を依頼したユーザが指定したテンプレートの種類およびユーザＩＤからなるアルバム編集情報の入力を受け付け、アルバム編集情報をファイルサーバ５に送信する。そして、ファイルサーバ５が送信したテンプレートデータ、画像データおよびテンプレートの画像挿入領域に挿入する案内画像データを受信する。そして画像データを縮小して、画像データにより表される画像の一覧を生成するとともに、テンプレートデータにより表されるテンプレートの画像挿入領域のそれぞれに、対応する案内画像データにより表される案内画像を挿入し、案内画像が挿入されたテンプレートおよび画像の一覧を含む編集画面を表示手段１５に表示する。
【００３３】
図３は編集画面の例を示す図である。図３に示すように、編集画面３０には、画像の一覧を表示する一覧表示フィールド３１、案内画像が挿入されたテンプレートを表示するテンプレート表示フィールド３３、およびツールボックス３５が含まれる。
【００３４】
一覧表示フィールド３１にはスクロールバー３１Ａが表示されており、これを左右に移動させることにより、１画面に表示しきれない画像を表示することができる。
【００３５】
ここで、図３に示す例においては、テンプレート表示フィールド３３に表示されているテンプレートＴ１には４つの画像挿入領域１−ａ，１−ｂ，１−ｃ，２−ａが含まれており、そのそれぞれに案内画像が表示される。なお、このテンプレートＴ１は、４ページからなり、１ページ目に画像挿入領域１−ａ，１−ｂ，１−ｃ、２ページ目に画像挿入領域２−ａ、３ページ目に画像挿入領域３−ａ，３−ｂ、４ページ目に画像挿入領域４−ａ，４−ｂが含まれるものとする。
【００３６】
案内画像は、各画像挿入領域にどのような構図の画像を挿入すればよいかを、アルバム編集作業を行うオペレータに通知することが可能な画像である。ここで、イベントについてのアルバムを作成するための撮影は、アルバムの作成を依頼したユーザに拘わらず、同じ場所、同じ状況で行われるものである。例えば、上述したように結婚式当日の新郎新婦の撮影は、ホテル内の決まった場所で行われ、さらに結婚式中の指輪の交換のシーンや、披露宴でのケーキカットのシーン等、決まった状況で行われる。
【００３７】
このため、テンプレートの画像挿入領域に挿入される画像を、同じテンプレートを選択したすべてのユーザにおいて同一の構図を有するものとすることにより、できあがったアルバムの品質を一定にすることができる。したがって、案内画像としては、画像挿入領域に挿入されるべき構図を表すイラスト、線画あるいはモデルを用いて実際の場所または状況において撮影を行うことにより得られたサンプル画像等を用いることができる。なお、本実施形態においては、モデルを用いたサンプル画像が挿入されているものとする。
【００３８】
また、テンプレート表示フィールド３３には、テンプレートが複数のページを有する場合に、テンプレート表示フィールド３３に表示されるテンプレートのページを切り替えるための矢印ボタン３３Ａ，３３Ｂが表示されている。オペレータは矢印ボタン３３Ａ，３３Ｂをクリックすることにより、編集画面３０に表示するテンプレートのページを切り替えることができる。
【００３９】
ツールボックス３５には、ぼかし、シャープ、およびブラシのように画質を変更する処理を画像データに施すためのボタン、赤目消しおよび傷消しのように画像を修復する処理を画像データに施すためのボタン、回転およびサイズ変更のように画像を加工する処理を画像データに施すためのボタン、並びに処理を終了するための決定ボタンが表示されている。
【００４０】
ここで、本実施形態においては、テンプレートデータには、そのテンプレートデータにより表されるテンプレートの画像挿入領域に挿入すべき画像の状態を指定する状態指定情報が付与されている。例えば、本実施形態において使用するテンプレートＴ１を表すテンプレートデータのヘッダに、図４に示すように、そのテンプレートデータにより表されるテンプレートＴ１の画像挿入領域１−ａ，１−ｂ，１−ｃ，２−ａ，３−ａ，３−ｂ，４−ａ，４−ｂに挿入される画像の状態を指定する状態指定情報１〜８が記録されている。
【００４１】
状態指定情報は、画像挿入領域に応じて、画像挿入領域に挿入するのに適した画像の状態を定める各種条件からなるものである。具体的には、被写体に人物が含まれる場合においては、目を閉じていない、赤目でない、横を向いている人物がいない、規定の人数が含まれていない等の不要な画像を除外する条件を用いることができる。また、教会や海等の特定の被写体が含まれている、人物が２人含まれている、人物が赤い花を持っている等の必要な画像を含める条件を用いることができる。また、画像の例えば中央部のみが所定の条件を満たす画像を選別できるように、画像のある一部分に対しての状態を指定するための条件も含めることができる。
【００４２】
例えば、テンプレートＴ１における画像挿入領域１−ａには新郎新婦の２人の顔をアップにした状態の画像を挿入すべきである場合、挿入すべく選択した画像は、新郎新婦が含まれ、ストロボ撮影により赤目になっていないものであり、新郎新婦が横を向いていないものである必要がある。
【００４３】
このため、画像挿入領域１−ａについての状態指定情報１は、例えば、以下のようなａ〜ｃの条件を含むものとなる。
【００４４】
ａ．人物の顔を含む。
【００４５】
ｂ．赤目でない
ｃ．人物が横を向いていない。
【００４６】
ここで、本実施形態においては、図５に示すように、テンプレートＴ１の画像挿入領域１−ａの状態指定情報１は条件ａ，ｂ，ｃからなり、画像挿入領域１−ｂの状態指定情報２は条件ａ，ｂ，ｄ，ｅからなり、画像挿入領域１−ｃの状態指定情報３は条件ａ，ｂ，ｆからなり、画像挿入領域２−ａの状態指定情報４は条件ａ，ｃ，ｇ，ｈ，ｉからなり、画像挿入領域３−ａの状態指定情報５は条件ａ，ｂ，ｃからなり、画像挿入領域３−ｂの状態指定情報６は条件ａ，ｂからなり、画像挿入領域４−ａの状態指定情報７は条件ａ，ｂ，ｃ，ｄからなり、画像挿入領域４−ｂの状態指定情報８は条件ａ，ｄからなるものとする。
【００４７】
そして、アルバム編集ＰＣ１は、ファイルサーバ５が送信したテンプレートデータを受信すると、このテンプレートデータにより表されるテンプレートに含まれるすべての画像挿入領域について、共通の条件があるか否かを判定する。そして、共通の条件がある場合には、共通の条件を参照して、複数の画像から共通の条件に適合するテンプレート適合画像を選別し、これを一覧表示フィールド３１に表示される画像の一覧において選別表示する。
【００４８】
具体的には、一覧表示フィールド３１に表示される画像の一覧において、テンプレート適合画像の枠の色をテンプレート適合画像以外の画像の枠の色と異なるものとする、テンプレート適合画像以外の画像を選択できないようにする、テンプレート適合画像のみを一覧に含める等することにより、テンプレート適合画像を選別表示する。
【００４９】
本実施形態においては、テンプレートＴ１に含まれるすべての画像挿入領域１−ａ，１−ｂ，１−ｃ，２−ａ，３−ａ，３−ｂ，４−ａ，４−ｂに共通の条件は条件ａであることから、条件ａに適合する適合画像を複数の画像から選別する。ここで、条件ａは「人物の顔を含む」という条件であるため、アルバム編集ＰＣ１は、すべての画像データにより表される画像から人物の顔領域を抽出する。顔領域の抽出は画像中の肌色かつ円形の領域を顔領域として抽出することにより行う。そして、顔領域が抽出された画像を、人物の顔を含むという条件ａに適合するテンプレート適合画像として選別する。
【００５０】
図６はテンプレート適合画像が選別表示された編集画面の例を示す図である。図６に示すように、編集画面３０には、一覧表示フィールド３１に表示された画像の一覧において、テンプレートに含まれるすべての画像挿入領域１−ａ，１−ｂ，１−ｃ，２−ａ，３−ａ，３−ｂ，４−ａ，４−ｂについての状態指定情報に共通の条件に適合するテンプレート適合画像以外の画像が選択できないようにされて（図中斜線で示す）、テンプレート適合画像が選別表示されている。なお、テンプレート適合画像以外の画像を選択可能として一覧に含め、オペレータがテンプレート適合画像以外の画像を選択した場合には、別な画像への変更や補正を行う旨をオペレータに要求するようにしてもよく、警報音を出力するようにしてもよい。なお、本実施形態においては、テンプレート適合画像が選別表示された状態が編集画面の初期画面となる。
【００５１】
また、テンプレートＴ１は４ページに亘り、テンプレート表示フィールド３３にはテンプレートＴ１の２つのページが表示される。そして、本実施形態において、オペレータがテンプレート表示フィールド３３に表示されたテンプレートのページを入力手段１７を用いてクリックすることにより指定すると、アルバム編集ＰＣ１は、指定されたページのすべての画像挿入領域について、共通の条件があるか否かを判定する。そして、共通の条件がある場合には、共通の条件を参照して、複数の画像から共通の条件に適合するページ適合画像を選別する。
【００５２】
例えば、１ページ目が指定された場合、アルバム編集ＰＣ１は、テンプレートＴ１の１ページ目に含まれるすべての画像挿入領域１−ａ，１−ｂ，１−ｃについて、共通の条件があるか否かを判定する。そして、共通の条件がある場合には、共通の条件を参照して、複数の画像から共通の条件に適合するページ適合画像を選別する。
【００５３】
テンプレートＴ１の１ページ目に含まれるすべての画像挿入領域１−ａ，１−ｂ，１−ｃに共通の条件は条件ａ，ｂであることから、条件ａ，ｂに適合する適合画像をページ適合画像として複数の画像から選別する。ここで、条件ｂは「赤目でない」という条件であるため、アルバム編集ＰＣ１は、すでに選別された条件ａに適合するすべてのテンプレート適合画像において抽出した顔領域から、人間の平均的な目、口および鼻の位置関係に基づいて目の位置を検出する。そして検出した目の位置に白目に対応する白色の領域が含まれるか否かを判定し、白色の領域が含まれる画像を選別する。さらに、検出した目の位置の白色領域の内部に赤色の領域が存在するか否かを判定し、赤色の領域が存在しない画像を、赤目でないという条件ｂを満たすページ適合画像として選別する。
【００５４】
そして、アルバム編集ＰＣ１は、選別したページ適合画像を一覧表示フィールド３１に選別表示する。
【００５５】
なお、本実施形態においてはテンプレート表示フィールド３３に表示するテンプレートのページを切り替えて編集を行う場合がある。この場合、ページが指定されるごとに、ページ適合画像の選別および選別表示を行うようにする。なお、一度指定されたページについては、どの画像がページ適合画像として選別されたかをメモリ２１に記憶しておき、再度のそのページが指定された場合には、選別の処理を行うことなく、メモリ２１を参照してそのページについてのページ適合画像を一覧表示フィールド３１に選別表示することが好ましい。
【００５６】
さらに、オペレータが入力手段１７を用いて画像挿入領域をクリックすることにより指定すると、アルバム編集ＰＣ１はオペレータが指定した画像挿入領域の状態指定情報を参照して、一覧表示フィールド３１に表示されている画像の一覧から、状態指定情報に適合する領域適合画像を選別する。
【００５７】
ここで、オペレータが画像挿入領域１−ａを指定した場合、画像挿入領域１−ａの状態指定情報はａ，ｂ，ｃの条件を含むことから、条件ａ，ｂ，ｃに適合する適合画像を領域適合画像として複数の画像から選別する。ここで、条件ｃは「人物が横を向いていない」という条件であるため、アルバム編集ＰＣ１は、すでに選別された条件ａ，ｂに適合するすべてのページ適合画像において、顔領域内に目の位置が２つ検出できる画像を、人物が横を向いていないという条件ｃを満たす領域適合画像として選別し、一覧表示フィールド３１において領域適合画像を選別表示する。
【００５８】
なお、本実施形態においては指定する画像挿入領域を切り替えて編集を行う場合がある。この場合、画像挿入領域が指定されるごとに、領域適合画像の選別を行うようにする。なお、一度指定された画像挿入領域については、どの画像が領域適合画像として選別されたかをメモリ２１に記憶しておき、再度のその画像挿入領域が指定された場合には、選別の処理を行うことなく、メモリ２１を参照してその画像挿入領域についての領域適合画像を一覧表示フィールド３１に選別表示することが好ましい。
【００５９】
なお、画像挿入領域１−ｂの状態指定情報２としては、例えば人物を２人含むという条件ｄ、およびステンドグラスを含むという条件ｅを含めることにより、画像挿入領域１−ｂについての領域適合画像を選別することができる。この場合、ステンドグラスの形状を有するテンプレートと複数の画像データにより表される画像との相関値を算出し、相関値が所定のしきい値以上となる画像を、ステンドグラスを含むという条件に適合する適合画像として選別すればよい。
【００６０】
また、画像挿入領域１−ｃの状態指定情報３としては、例えば十字架を含むという条件ｆを含めることにより、画像挿入領域１−ｃについての領域適合画像を選別することができる。この場合、十字架の形状を有するテンプレートと複数の画像データにより表される画像との相関値を算出し、相関値が所定のしきい値以上となる画像を、十字架を含むという条件に適合する適合画像として選別すればよい。
【００６１】
また、画像挿入領域２−ａの状態指定情報４としては、例えば人物を１人含むという条件ｇ、人物が白色の服装であるという条件ｈ、および人物が中心に赤い花を持っているという条件ｉを含めることにより、画像挿入領域２−ａについての領域適合画像を選別することができる。この場合、人物の顔を抽出した後、顔領域が１つのみ含まれ、顔領域の下側の領域が白色であり、かつ画像の中央部分に赤色の領域を有する画像を、状態指定情報４に適合する適合画像として選別すればよい。
【００６２】
なお、状態指定情報としては、上述したものに限定されるものではなく、例えば、集合写真を表す画像を選別したい場合には、人物の数が所定人数以上という条件を含めればよい。
【００６３】
また、画像挿入領域を指定した場合において、状態指定情報に複数の条件が含まれている場合、必ずしもすべての条件を満たす必要はなく、複数の条件のうち、必須の条件のみを満たす画像を領域適合画像として選別するようにしてもよい。例えば、画像挿入領域１−ａの赤目でないという条件ｂについて、赤目は画像処理により修正可能であることから、条件ｂを満たさなくても条件ａ，ｃを満たしていれば、その画像を選別するようにしてもよい。この場合、赤目の画像が画像挿入領域に挿入される画像として選択される可能性がある。このため、赤目の画像が選択された場合には、別な画像への変更や補正を行う旨をオペレータに要求したり、警報音を出力するようにすることが好ましい。
【００６４】
また、複数の条件のそれぞれにポイントを付与しておき、条件を満たすごとにポイントを加算し、加算したポイントが一定値を超えた場合にその画像を選別するようにしてもよい。
【００６５】
なお、赤目でないあるいは目を閉じていないという条件のように修正可能な条件については、画像を状態指定情報により選別する前に修正しておいてもよい。
【００６６】
また、赤目や閉じた目については修正可能であるため、赤目であるあるいは目を閉じているとされた画像については、赤目あるいは閉じた目を修正して、適合画像に含めるようにしてもよい。この場合、赤目あるいは閉じた目を修正した画像については、一覧表示フィールド３１の対応する画像に、枠を付与する、矢印を付与する等して、修正されたものであることをオペレータに知らせるようにすることが好ましい。
【００６７】
また、新郎新婦のように主要な人物を含む画像を選別する場合において、主要な人物の周囲に、その他大勢の人物が含まれる画像については、その他大勢の人物については目を閉じていたり赤目であってもその画像が選別されるようにしてもよい。この場合、主要な人物は画像の中心に含まれることが多いため、画像の中心に含まれる人物に対してのみ、目を閉じていないおよび赤目でないという条件を適用して画像を選別すればよい。
【００６８】
また、状態指定情報に、例えば、白い服装の人物が画像中の所定領域にある、というように、画像中における被写体の位置の条件を含めてもよい。また、例えば白い服装の人物が水平に対して６０度傾いている、というように画像中における被写体の傾き度合いの条件を含めてもよい。
【００６９】
また、状態指定情報に、人物の肌の粒状度や画像に含めるべき被写体の色情報（輝度、明度、彩度等）が基準を満たす、という画像の画質を規定する条件を加えてもよい。例えば、肌の粒状度については、顔領域の周波数成分を検出し、肌の粒状度を示す周波数の振幅がしきい値以下の画像のみを選別する、という条件を加えればよい。なお、肌の粒状度を示す周波数の振幅がしきい値を超える画像については、粒状度を抑制する処理を施して、肌の粒状度を示す周波数の振幅がしきい値以下であるという条件に画像を適合させるようにしてもよい。
【００７０】
また、肌の粒状度を求めた場合、粒状度が低い順に適合画像を並べ替えて一覧に含めてもよい。
【００７１】
なお、人物が横を向いていないという条件については、人物が横を向いている程度に応じて画像に優先順位をつけ、優先順位が上位（すなわち、横を向いている程度が少ない）画像から順に適合画像を並べ替えて一覧に含めてもよい。ここで、人物が横を向いている程度は、顔の向きが異なる複数のテンプレートを用いてテンプレートマッチングを行ってテンプレートとの一致度を求めることにより検出すればよい。この場合、テンプレートにおける顔の向きに応じて画像に含まれる顔の向きが決まることとなる。
【００７２】
また、画像から顔および目を検出し、検出した顔に対して両目の位置、両目を結んだ線の中心位置および中心位置を通る垂線の角度等から顔の向きを検出してもよい。この場合、垂線の角度に応じて顔の向きが決まることとなる。
【００７３】
また、種々の顔の向きについてブースティングやニューラルネットワーク等のマシンラーニングの手法により学習を行った学習結果を用いて、顔の向きを検出してもよい。この場合、複数の顔の向きのそれぞれについて学習を行った識別器を用意し、各識別器に画像に含まれる顔の向きを識別させることにより、顔の向きを検出すればよい。この場合、複数の識別器のうち最も出力が大きい識別器に学習させた顔の向きが、その画像についての顔の向きとなる。
【００７４】
オペレータは、一覧表示フィールド３１において選別表示されたテンプレート適合画像、ページ適合画像および領域適合画像を見ながらアルバムの編集指示を行うことにより編集作業を行う。具体的には、指定した画像挿入領域に挿入された案内画像と構図が一致する画像を選別表示されたテンプレート適合画像、ページ適合画像および領域適合画像から選択し、選択した画像を入力手段１７を用いてドラッグアンドドロップすることにより、選択した画像を画像挿入領域に挿入する。挿入後はその画像挿入領域を選択し、ツールボックス３５のボタンをクリックすることにより、選択した画像挿入領域に挿入された画像を編集することができる。例えば、回転ボタンをクリックすることにより画像を右回りに９０度回転することができる。また、サイズ変更ボタンをクリックすることにより、画像のサイズを変更することができる。また、ぼかし、シャープおよびブラシボタンをクリックすることにより、画像の画質を変更することができる。また、赤目消しおよび傷消しボタンをクリックすることにより画像を修復することができる。
【００７５】
なお、画像の編集時に、画像挿入領域に挿入された人物を含む画像について、入力手段１７を用いて人物の顔領域を指定した場合に、肌色を向上させる、シャープネスを弱くする、粒状を抑制する等の画像処理を施すためのパラメータを同時に指定できるようにしてもよい。また、人物が赤い花を持っているような場合には、赤い部分の彩度を向上させるようなパラメータを同時に指定できるようにしてもよい。この場合、ツールボックス３５にパラメータを指定するためのボタン等を表示すればよい。
【００７６】
なお、すでに画像挿入領域に挿入すべく選択した画像が、他の画像挿入領域の状態指定情報にも適合する適合画像として選別された場合には、一覧表示フィールド３１においてその画像を選択できないようにすることが好ましい。
【００７７】
そして、テンプレートのすべての画像挿入領域に挿入する画像を選択し、選択した画像への編集が終了すると、オペレータは決定ボタンをクリックすることによりそのテンプレートにより構成されるアルバムの編集作業を終了する。なお、オペレータが決定ボタンをクリックすることにより、アルバム編集ＰＣ１は選択された画像データのファイル名、テンプレートの各画像挿入領域と各画像挿入領域に挿入される画像データのファイル名とを対応付けた情報、ぼかし、拡大縮小および赤目消し等の各画像データに施すべき処理の種類を表す情報、トリミングを行う場合のトリミング領域の範囲を表す情報、拡大縮小する場合の拡大率の情報等を含む画像編集情報を生成してファイルサーバ５に送信する。
【００７８】
なお、画像編集情報はオペレータが決定ボタンをクリックした直後のみならず、アルバム編集ＰＣ１において画像編集情報を注文単位で一時的に保管しておき、所定期間ごとに定期的にファイルサーバ５に画像編集情報を送信するようにしてもよい。また１つの注文において、画像挿入領域において加工情報が生成されるごと、あるいはテンプレートが複数ページに亘る場合には各ページごとに画像編集情報を生成してファイルサーバ５に送信するようにしてもよい。
【００７９】
また、すべての画像挿入領域に挿入する画像を選択する際に、一時的に編集作業を中断する場合には、処理途中であることを編集画面３０に表示するようにしてもよい。また、複数の注文について、処理途中であることをオペレータに知らせるべく、処理途中の注文のリストやサムネイル画像をアルバム編集ＰＣ１の表示手段１５に表示してもよい。なお、編集作業を途中で中断する場合には、作業を行った場所を記憶しておき、編集作業を再開する際に、その場所を最初に編集画面３０に表示するようにしてもよい。
【００８０】
ファイルサーバ５には、ミニラボ機３Ａ，３Ｂおよびスキャナ３Ｃにおいて、現像済みのフイルムに記録された画像を読み取ることにより得られた画像データが保管される。画像データはアルバム作成を依頼したユーザ単位で作成されたフォルダに保管される。また、ファイルサーバ５には、アルバム作成用のテンプレートを表すテンプレートデータが複数保管されている。また、テンプレートの画像挿入領域に挿入する案内画像を表す案内データも保管されている。
【００８１】
そして、ファイルサーバ５はアルバム編集ＰＣ１から送信されたアルバム編集情報を参照して、ユーザが選択した種類のテンプレートを表すテンプレートデータ、ユーザＩＤに対応するフォルダに保管された画像データ、およびテンプレートの画像挿入領域に挿入される案内画像を表す案内画像データをアルバム編集ＰＣ１に送信する。
【００８２】
一方、アルバム編集ＰＣ１から画像編集情報が送信されると、ファイルサーバ５は画像編集情報に含まれる選択された画像を表す画像データのファイル名を参照して、選択された画像データに対してセットアップ処理および編集処理を行い、処理済み画像データを生成する。なお、セットアップ処理には、選択された画像データに対する明るさ補正処理、色補正処理および階調補正処理の少なくとも１つの処理が含まれる。また、編集処理には、画像編集情報により指定された、ぼかし、シャープおよびブラシ等が指定されている画像データに対する画質を変更する処理、トリミングや拡大縮小の処理が指定されている画像データに対するトリミングおよび拡大縮小等の画像を加工する処理、およびぼかしや赤目消し等の画像処理が指定されている画像データに対する画像を修復する処理が含まれる。
【００８３】
また、ファイルサーバ５は、画像編集情報に含まれるテンプレートの各画像挿入領域と各画像挿入領域に挿入される画像データのファイル名とを対応付けた情報から、アルバムのレイアウト情報を生成する。図７はテンプレートＴ１についてのレイアウト情報の例を示す図である。図７に示すように、レイアウト情報は、使用するテンプレートＴ１の画像挿入領域１−ａ，１−ｂ，１−ｃ，２−ａ，３−ａ，３−ｂ，４−ａ，４−ｂと、各画像挿入領域に挿入する画像データのファイル名（DSCF0012.jpg、DSCF0020.jpg、DSCF0023.jpg、DSCF0030.jpg、DSCF0035.jpg、DSCF0040.jpg、DSCF0047.jpg、DSCF0052.jpg）とを対応付けたものとなっている。そして、処理済み画像データとともにレイアウト情報をミニラボ機３Ａ，３Ｂのいずれかに送信する。
【００８４】
工程管理ＰＣ７は、オペレータによる１つのアルバムの注文についての作成工程を管理するために、オペレータにより、アルバム編集終了、プリント完了およびアルバム検品終了等、各工程の処理が終了した旨の入力を受け付ける。最終的には、完成したアルバムの品質をオペレータが検査し、検査結果が合格であった場合に、その旨の入力を受け付け、１つのアルバムについての工程管理を終了する。なお、検査結果が不合格であった場合には、そのアルバム作成の注文に対して、再度のアルバム作成の指示の入力を受け付ける。
【００８５】
次いで、第１の実施形態において行われる処理について説明する。図８は第１の実施形態において行われる処理を示すフローチャートである。なお、ファイルサーバ５には、結婚式当日のユーザの撮影を行うことにより画像が記録された現像済みのフイルムから、画像を読み取ることにより得られた画像データが保管されているものとする。また、ユーザＩＤおよびユーザが指定したテンプレートの種類の情報からなるアルバム編集情報、並びにユーザがアルバム作成を依頼したイベントの種類が入力されているものとする。なお、ここではユーザが指定したテンプレートをテンプレートＴ１とする。
【００８６】
オペレータがアルバム編集ＰＣ１からアルバム編集の指示を行うことにより処理が開始され、まず、アルバム編集ＰＣ１は、ユーザＩＤおよびユーザが指定したテンプレートの種類の情報からなるアルバム編集情報をファイルサーバ５に送信する（ステップＳ１）。
【００８７】
ファイルサーバ５はアルバム編集情報を受信し、ユーザＩＤに対応するフォルダに保管された画像データ、ユーザが指定した種類のテンプレートＴ１を表すテンプレートデータおよびテンプレートＴ１の画像挿入領域に挿入される案内画像を表す案内画像データをアルバム編集ＰＣ１に送信する（ステップＳ２）。
【００８８】
アルバム編集ＰＣ１は、画像データ、テンプレートデータおよび案内画像データを受信して、アルバム編集指示を受け付ける処理を行う（ステップＳ３）。
【００８９】
図９、１０はアルバム編集指示を受け付ける処理を示すフローチャートである。まず、アルバム編集ＰＣ１は、テンプレートＴ１に含まれるすべての画像挿入領域の状態指定情報を取得し（ステップＳ１１）、テンプレートＴ１のすべての画像挿入領域についての状態指定情報に共通の条件があるか否かを判定する（ステップＳ１２）。ステップＳ１２が肯定されると、共通の条件に適合するテンプレート適合画像を選別する（ステップＳ１３）。そして、編集画面３０を表示手段１５に表示する（ステップＳ１４）。なお、テンプレート表示フィールド３３に表示されたテンプレートの画像挿入領域には、案内画像データにより表される案内画像が挿入される。また、一覧表示フィールド３１にはテンプレート適合画像が選別表示される。なお、ステップＳ１２が否定された場合、ステップＳ１４に進み編集画面３０が表示されるが、この場合、一覧表示フィールド３１にはすべての画像の一覧が表示される。
【００９０】
そして、アルバム編集ＰＣ１は、選別表示されたテンプレート適合画像を参照してのオペレータによるアルバムの編集指示を受け付ける（ステップＳ１５）。なお、テンプレート適合画像が選別されていない場合は、すべての画像の一覧を参照してのアルバム編集指示を受け付ける。
【００９１】
次いで、オペレータによりテンプレートＴ１のページが指定されたか否かが判定され（ステップＳ１６）、ステップＳ１６が肯定されると、指定されたページのすべての画像挿入領域についての状態指定情報に共通の条件があるか否かを判定する（ステップＳ１７）。ステップＳ１７が肯定されると、共通の条件に適合するページ適合画像を選別する（ステップＳ１８）。そして、編集画面３０の一覧表示フィールド３１にページ適合画像を選別表示して（ステップＳ１９）、ステップＳ１５に戻る。なお、ステップＳ１７が否定された場合もステップＳ１５に戻る。
【００９２】
ステップＳ１６が否定されると、オペレータにより画像挿入領域が指定されたか否かが判定され（ステップＳ２０）、ステップＳ２０が肯定されると、指定された画像挿入領域の状態指定情報に適合する領域適合画像を選別し（ステップＳ２１）、編集画面３０の一覧表示フィールド３１に領域適合画像を選別表示して（ステップＳ２２）、ステップＳ１５に戻る。ステップＳ２０が否定されると、すべての画像挿入領域に挿入する画像を選択して、決定ボタンがクリックされたか否かを判定する（ステップＳ２３）。ステップＳ２３が否定されるとステップＳ１５に戻る。ステップＳ２３が肯定されると、アルバム編集指示を受け付ける処理を終了する。
【００９３】
図８に戻り、アルバム編集ＰＣ１は画像編集情報を生成し、これをファイルサーバ５に送信する（ステップＳ４）。
【００９４】
ファイルサーバ５は、画像編集情報を受信して、画像編集情報に含まれる選択された画像データのファイル名を参照して、画像の編集処理を行う（ステップＳ５）。そして、画像編集処理により生成された処理済み画像データおよび画像編集情報から生成したレイアウト情報をミニラボ機３Ａ，３Ｂのいずれかに出力して（ステップＳ６）、処理を終了する。
【００９５】
ミニラボ機３Ａ，３Ｂは、処理済み画像データおよびレイアウト情報を受信すると処理済み画像データをプリント出力して、処理済み画像データのプリントを生成する。オペレータは（あるいはアルバム加工を専門に行うオペレータ）は、レイアウト情報を参照しつつ、テンプレートに対応する台紙におけるプリント挿入領域にプリントを貼り付け、さらには製本作業等を行ってアルバムを作成する。
【００９６】
作成されたアルバムは、品質管理を行うオペレータにより検査され、検査に合格するとユーザに配送される。なお、検査に不合格であった場合には、工程管理ＰＣ７において、そのアルバム作成の注文について、再度のアルバムの作成の指示がなされる。
【００９７】
このように、第１の実施形態においては、テンプレートに含まれるすべての画像挿入領域についての状態指定情報に共通の条件がある場合は、共通の条件に適合するテンプレート適合画像を選別表示し、テンプレートのページが指定された場合において、指定されたページに含まれるすべての画像挿入領域についての状態指定情報に共通の条件がある場合は、共通の条件に適合するページ適合画像を選別表示し、さらに、画像挿入領域が指定された場合には、指定された画像挿入領域の状態指定情報に適合する領域適合画像を選別表示するようにしたため、オペレータは、選別表示されたテンプレート適合画像、ページ適合画像および領域適合画像を参照すれば、画像挿入領域に挿入すべき画像を容易に選択することができる。したがって、テンプレートの画像挿入領域に挿入する画像を選択する際のオペレータの負担を軽減することができる。
【００９８】
次いで、本発明の第２の実施形態について説明する。上記第１の実施形態においては、画像挿入領域に状態指定情報が付与されていたが、第２の実施形態においては、テンプレート、テンプレートの各ページおよび画像挿入領域のそれぞれに状態指定情報が付与されてなるものである。
【００９９】
図１１は第２の実施形態における状態指定情報の付与の態様を説明するための図である。図１１に示すようにこのテンプレートＴ２には、テンプレートＴ２に含まれるすべての画像挿入領域についての共通の条件である条件ａを含むテンプレート状態指定情報が付与されている。また、テンプレートＴ２の１ページ目にはこのページに含まれるすべての画像挿入領域についての共通の条件である条件ｂを含むページ状態指定情報が付与されている。また、画像挿入領域１−ａ、１−ｂ，１−ｃにはそれぞれ条件ｃ、条件ｄ，ｅ、条件ｆを含む領域状態指定情報が付与されている。なお、テンプレートＴ２の２ページ目には画像挿入領域は１つのみしか含まれないため、画像挿入領域２−ａにのみ条件ｃ，ｇ，ｈ，ｉを含む領域状態指定情報が付与されている。また、テンプレートＴ２の３ページ目にはこのページに含まれるすべての画像挿入領域についての共通の条件である条件ｂを含むページ状態指定情報が付与されている。また、画像挿入領域３−ａには条件ｃを含む領域状態指定情報が付与されている。なお、画像挿入領域３−ｂについては、テンプレートＴ２および３ページ目の条件ａ，ｂにのみ適合すればよいものであるため、領域状態指定情報は付与されていない。さらに、テンプレートＴ２の４ページ目にはこのページに含まれるすべての画像挿入領域についての共通の条件である条件ａ，ｄを含むページ状態指定情報が付与されている。また、画像挿入領域４−ａには条件ｂ，ｃを含む領域状態指定情報が付与されている。なお、画像挿入領域４−ｂについては、テンプレートＴ２および４ページ目の条件ａ，ｄにのみ適合すればよいものであるため、領域状態指定情報は付与されていない。
【０１００】
次いで、第２の実施形態において行われる処理について説明する。なお、第２の実施形態は、第１の実施形態におけるアルバム編集指示受け付けの処理が異なるのみであるため、アルバム編集指示の受け付け処理についてのみ説明する。
【０１０１】
図１２は第２の実施形態におけるアルバム編集指示を受け付ける処理を示すフローチャートである。まず、アルバム編集ＰＣ１は、テンプレートＴ２に付与されたテンプレート状態指定情報に適合するテンプレート適合画像を選別する（ステップＳ３１）。そして、編集画面３０を表示手段１５に表示する（ステップＳ３２）。なお、テンプレート表示フィールド３３に表示されたテンプレートの画像挿入領域には、案内画像データにより表される案内画像が挿入される。また、一覧表示フィールド３１にはテンプレート適合画像が選別表示される。
【０１０２】
そして、アルバム編集ＰＣ１は、選別表示されたテンプレート適合画像を参照してのオペレータによるアルバムの編集指示を受け付ける（ステップＳ３３）。
【０１０３】
次いで、オペレータによりテンプレートＴ２のページが指定されたか否かが判定され（ステップＳ３４）、ステップＳ３４が肯定されると、指定されたページに付与されたページ状態指定情報に適合するページ適合画像を選別する（ステップＳ３５）。そして、編集画面３０の一覧表示フィールド３１にページ適合画像を選別表示して（ステップＳ３６）、ステップＳ３３に戻る。
【０１０４】
ステップＳ３４が否定されると、オペレータにより画像挿入領域が指定されたか否かが判定され（ステップＳ３７）、ステップＳ３７が肯定されると、指定された画像挿入領域の状態指定情報に適合する領域適合画像を選別し（ステップＳ３８）、編集画面３０の一覧表示フィールド３１に領域適合画像を選別表示して（ステップＳ３９）、ステップＳ３３に戻る。ステップＳ３７が否定されると、すべての画像挿入領域に挿入する画像を選択して、決定ボタンがクリックされたか否かを判定する（ステップＳ４０）。ステップＳ４０が否定されるとステップＳ３３に戻る。ステップＳ４０が肯定されると、アルバム編集指示を受け付ける処理を終了する。
【０１０５】
このように、第２の実施形態においては、テンプレートに付与されたテンプレート状態指定情報に適合するテンプレート適合画像を選別表示し、テンプレートのページが指定された場合には、指定されたページに付与されたページ状態指定情報に適合するページ適合画像を選別表示し、さらに、画像挿入領域が指定された場合には、指定された画像挿入領域の領域状態指定情報に適合する領域適合画像を選別表示するようにしたため、オペレータは、選別表示された適合画像を参照すれば、画像挿入領域に挿入すべき画像を容易に選択することができる。したがって、テンプレートの画像挿入領域に挿入する画像を選択する際のオペレータの負担を軽減することができる。
【０１０６】
次いで、本発明の第３の実施形態について説明する。上記第１の実施形態においては、テンプレート、ページおよび画像挿入領域が指定されるごとに、状態指定情報に含まれる条件に適合する適合画像を選別していたが、第３の実施形態においては、テンプレートのすべての画像挿入領域についての状態指定情報を参照して、すべての画像を状態指定情報の各種条件と対応付け、その対応付けの結果をテーブルとしてメモリ２１に記憶しておき、テンプレートのページおよび画像挿入領域が指定された場合に、テーブルを参照して適合画像を選別するようにしたものである。
【０１０７】
次いで、第３の実施形態において行われる処理について説明する。なお、第２の実施形態は、第１の実施形態におけるアルバム編集指示受け付けの処理が異なるのみであるため、アルバム編集指示の受け付け処理についてのみ説明する。なお、ここでは、状態指定情報が画像挿入領域にのみ付与されたテンプレートＴ１を用いるものとする。
【０１０８】
図１３、１４は第３の実施形態におけるアルバム編集指示を受け付ける処理を示すフローチャートである。まず、アルバム編集ＰＣ１は、テンプレートＴ１に含まれるすべての画像挿入領域の状態指定情報を取得し（ステップＳ５１）、テンプレートＴ１のすべての画像挿入領域についての状態指定情報を参照して、すべての画像データにより表される画像について状態指定情報に含まれる各種条件と対応付け、対応付け結果を表す対応付けテーブルを生成する（ステップＳ５２）。そして、対応付けテーブルをメモリ２１に記憶する（ステップＳ５３）。
【０１０９】
図１５は対応付けテーブルの例を示す図である。図１５に示すように対応付けテーブルＴＢＬは、ファイルサーバ５が送信したすべて（ここではＭ個とする）の画像と状態指定情報に含まれる条件とを対応付け、各画像が満たす条件に○が付与されてなるものである。
【０１１０】
そして、アルバム編集ＰＣ１は編集画面３０を表示手段１５に表示する（ステップＳ５４）。なお、テンプレート表示フィールド３３に表示されたテンプレートの画像挿入領域には、案内画像データにより表される案内画像が挿入される。また、一覧表示フィールド３１にはすべての画像の一覧が表示される。アルバム編集ＰＣ１は、オペレータによる画像の一覧を参照してのアルバムの編集指示を受け付ける（ステップＳ５５）。
【０１１１】
次いで、オペレータによりテンプレートＴ１のページが指定されたか否かが判定され（ステップＳ５６）、ステップＳ５６が肯定されると、指定されたページのすべての画像挿入領域についての状態指定情報に共通の条件があるか否かを判定する（ステップＳ５７）。ステップＳ５７が肯定されると、共通の条件および対応付けテーブルＴＢＬを参照して、共通の条件に適合するページ適合画像を選別する（ステップＳ５８）。具体的には共通の条件が条件ａである場合には、対応付けテーブルＴＢＬにおける条件ａに○が付与されている画像をページ適合画像として選別する。そして、編集画面３０の一覧表示フィールド３１にページ適合画像を選別表示して（ステップＳ５９）、ステップＳ５５に戻る。なお、ステップＳ５７が否定された場合もステップＳ５５に戻る。
【０１１２】
ステップＳ５６が否定されると、オペレータにより画像挿入領域が指定されたか否かが判定され（ステップＳ６０）、ステップＳ６０が肯定されると、指定された画像挿入領域の状態指定情報および対応付けテーブルＴＢＬを参照して、状態指定情報に適合する領域適合画像を選別し（ステップＳ６１）、編集画面３０の一覧表示フィールド３１に領域適合画像を選別表示して（ステップＳ６２）、ステップＳ５５に戻る。ステップＳ６０が否定されると、すべての画像挿入領域に挿入する画像を選択して、決定ボタンがクリックされたか否かを判定する（ステップＳ６３）。ステップＳ６３が否定されるとステップＳ５５に戻る。ステップＳ６３が肯定されると、アルバム編集指示を受け付ける処理を終了する。
【０１１３】
このように、第３の実施形態においては、テンプレートに含まれるすべての画像挿入領域の状態指定情報を参照して、すべての画像と状態指定情報に含まれる各種条件とを対応付けた対応付けテーブルＴＢＬを生成し、テンプレートのページが指定され、指定されたページに含まれるすべての画像挿入領域についての状態指定情報に共通の条件がある場合は、共通の条件および対応付けテーブルを参照して共通の条件に適合するページ適合画像を選別表示し、さらに、画像挿入領域が指定された場合には、指定された画像挿入領域の状態指定情報および対応付けテーブルＴＢＬを参照して、状態指定情報に適合する領域適合画像を選別表示するようにしたため、オペレータは、選別表示されたページ適合画像および領域適合画像を参照すれば、画像挿入領域に挿入すべき画像を容易に選択することができる。したがって、テンプレートの画像挿入領域に挿入する画像を選択する際のオペレータの負担を軽減することができる。また、先にすべての画像について状態指定情報の各種条件との対応付けを行っているため、対応付けのテーブルを参照することにより、ページ適合画像および領域適合画像の選別を高速に行うことができる。
【０１１４】
なお、上記第１から第３の実施形態においては、オペレータが選択した画像を表す画像データの処理済み画像データをミニラボ機３Ａ，３Ｂにおいてプリント出力して、テンプレートに対応する台紙にプリントを貼り付けることによりアルバムを作成しているが、ファイルサーバ５において、処理済み画像データとテンプレートデータとを合成して、テンプレートの画像挿入領域にオペレータが選択した画像が挿入された画像（すなわちアルバム画像）を表す合成画像データを生成し、合成画像データをミニラボ機３Ａ，３Ｂに出力するようにしてもよい。
【０１１５】
これにより、ミニラボ機３Ａ，３Ｂにおいて合成画像データをプリント出力すれば、アルバム画像のプリントを製本するのみで、プリントを台紙に貼り付ける作業を行うことなく、アルバムを作成することができる。
【０１１６】
また、上記第１から第３の実施形態においては、フイルムに記録した画像を読み取ることにより得た画像データを用いてアルバムを作成しているが、デジタルカメラにより取得した画像データをそのまま用いてアルバムを作成することも可能である。この場合、ファイルサーバ５には、メモリカード等の撮影により取得した画像データを記録したメディアから画像データを読み出すメディアドライブが設けられ、メディアドライブを用いてメディアから読み出した画像データがファイルサーバ５に保管される。また、カメラ付きの携帯電話により取得した画像データを用いてアルバムを作成することも可能である。この場合、携帯電話通信網を用いてカメラ付き携帯電話から送信した画像データがファイルサーバ５に保管される。
【０１１７】
また、上記第１から第３の実施形態においては、アルバム編集ＰＣ１においてアルバムに使用する画像を選択した後に、ファイルサーバ５において選択した画像を表す画像データに対してのみセットアップ処理を施しているが、ファイルサーバ５にミニラボ３Ａ，３Ｂあるいはスキャナ３Ｃから画像データが送信された際に、すべての画像データに対してセットアップ処理を施してファイルサーバ５に保管するようにしてもよい。また、アルバム編集ＰＣ１において、ファイルサーバ５から送信されたすべての画像データあるいはアルバムに使用するために選択した画像データに対してセットアップ処理を施すようにしてもよい。
【０１１８】
また、上記第１から第３の実施形態において、アルバム編集ＰＣ１またはファイルサーバ５が、レイアウト情報に基づいて、テンプレートにユーザの画像を挿入した状態のデータ（アルバムデータ）を生成し、これをユーザがアクセス可能なサーバ等に送信して保管しておくようにしてもよい。これにより、ユーザはアルバムの出来具合をアルバム作成の前に確認することができる。なお、この場合、そのアルバムデータを用いてアルバムを作成するか、編集をやり直すかをユーザに選択させるようにしてもよい。
【図面の簡単な説明】
【０１１９】
【図１】本発明の実施形態による画像編集装置を備えた画像編集システムの構成を示す概略ブロック図
【図２】アルバム編集ＰＣの構成を示す概略ブロック図
【図３】編集画面の例を示す図
【図４】状態指定情報が記録されている状態を説明するための図
【図５】状態指定情報が画像挿入領域に付与されている状態を説明するための図
【図６】テンプレート適合画像が選別表示された編集画面の例を示す図
【図７】レイアウト情報の例を示す図
【図８】第１の実施形態において行われる処理を示すフローチャート
【図９】第１の実施形態におけるアルバム編集指示を受け付ける処理を示すフローチャート（その１）
【図１０】第１の実施形態におけるアルバム編集指示を受け付ける処理を示すフローチャート（その２）
【図１１】第２の実施形態においてテンプレートに状態指定情報が付与されている状態を説明するための図
【図１２】第２の実施形態におけるアルバム編集指示を受け付ける処理を示すフローチャート
【図１３】第３の実施形態におけるアルバム編集指示を受け付ける処理を示すフローチャート（その１）
【図１４】第３の実施形態におけるアルバム編集指示を受け付ける処理を示すフローチャート（その２）
【図１５】対応付けテーブルの例を示す図
【符号の説明】
【０１２０】
１    アルバム編集ＰＣ
３Ａ，３Ｂ    ミニラボ機
３Ｃ    スキャナ
５    ファイルサーバ
７    工程管理ＰＣ
１１    ＣＰＵ
１３    送受信手段
１５    表示手段
１７    入力手段
１９    Ｉ／Ｏ
２１    メモリ
２３    記録手段
２５    バス
３０    編集画面
３１    一覧表示フィールド
３３    テンプレート表示フィールド
３５    ツールボックス
【図１】
2005285107.tif 000003
【図２】
2005285107.tif 000004
【図３】
2005285107.tif 000005
【図４】
2005285107.tif 000006
【図５】
2005285107.tif 000007
【図６】
2005285107.tif 000008
【図７】
2005285107.tif 000009
【図８】
2005285107.tif 000010
【図９】
2005285107.tif 000011
【図１０】
2005285107.tif 000012
【図１１】
2005285107.tif 000013
【図１２】
2005285107.tif 000014
【図１３】
2005285107.tif 000015
【図１４】
2005285107.tif 000016
【図１５】
2005285107.tif 000017